(57)【要約】【課題】錆の発生等で除去すべき既設の踏板を除去せず、既設のささら桁を使って踏板をリフォームする。【解決手段】既設踏板４１を挟んで、上から順に上カバープレート１、防音基材２４、クッションゴム２８、既設踏板２４、下カバープレート１１を重ねる。予め穿設して透孔９、２６、２９、貫通孔４７、透孔２０を連通させ、共通のボルト５２を挿通して、ナット５３を締めて、サンドイッチした、各部材を構造的に一体に固定する。上カバープレート１を既設ささら桁５０に溶接して固定する。上下カバープレート１、１１の上段側の上側覆い部５、１６に形成した間隙３２にコーキング材３４を充填して密封し、下段側を開放して、リフォームした踏板とする。【選択図】図４
2005207147.tif 000002
【特許請求の範囲】
【請求項１】
以下の工程で、既設鉄骨階段を改修することを特徴とする鉄骨階段の改修方法。
(1) 階段状に並列された既設踏板の両端をささら桁で挟んで、既設の鉄骨階段が設置されている。
(2) 前記既設踏板の複数箇所に、上下方向の貫通孔を穿設する。
(3) 前記既設踏板の下面に下カバープレートを配置し、前記既設踏板の上面に防音基材を挟んで、上カバープレートを配置する。上下カバープレートには、前記貫通孔に連通する透孔を穿設してある。
(4) 前記下カバープレートの透孔、前記既設踏板の透孔、前記上カバープレートの透孔にボルトを挿通して、ナットを螺合して、前記既設踏板、前記上下カバープレート及び前記防音基材を一体に固定する。
(5) 前記上下カバープレートの少なくとも一方と、前記ささら桁とを当接部で固定する。
【請求項２】
上下カバープレートの上段側に、上方に屈曲して上側覆い部を夫々形成し、両上側覆い部の間隙にコーキングを施して密着し、前記上側覆い部で、既設踏板の上側の端縁を覆うことを特徴とする請求項１記載の鉄骨階段の改修方法。
【請求項３】
(1) 既設踏板を既設ささら桁で挟んで固定してなる既設鉄骨階段において、
(2) 前記既設踏板の下面側に下カバープレートを、上面側に、防音基材を介装して、上カバープレートを夫々配置し、
(3) 上カバープレートから下カバープレートを貫く棒材で、前記上下カバープレート、防音基材及び既設踏板を一体に固定し、
(4) 前記上下カバープレートの上段側を水密に封鎖しすると共に、下段側を開放し、
前記上下カバープレートの少なくとも一方を、既設ささら桁に固定した
ことを特徴とする鉄骨階段。
【発明の詳細な説明】
【技術分野】
【０００１】
この発明は、既設の鉄骨階段で、表面の錆などの汚れがあり、階段を改修する場合、この既設の階段で、特に既設のささら桁をそのまま利用して、新たに階段をリフォームする階段の改修方法、この改修方法により構築される鉄骨階段に関する。
【背景技術】
【０００２】
鉄骨階段では、鋼材からなる踏板（通常厚さ３〜６ｍｍ程度）の両側を鋼板製のささら桁（通常厚さ９〜１２ｍｍ程）で挟んで、構成してあった。従って、水平に配置された踏板では、雨水等が溜まりやすく、また、踏板はささら桁に比して材厚が薄ので、腐食が進行し易かった。そこで、一般にささら桁は使用可能でも、踏板のみが使用不能となるように腐食してしまう場合が多かった。
【０００３】
このような鉄骨階段をリフォームする場合、従来は、ささら桁に固定された踏板を現場で切断して、ささら桁の内面を整えて、新たな踏板をささら桁に溶接していた。
【０００４】
このような施工をする場合、既設の踏板の切断撤去に手間を要し、また作業用の足場等仮設も必要とされていた。従って、工事期間が長くなり、また費用も要していた。さらに、踏板を撤去した場合、その間は、当該鉄骨階段を使用することができず、とりわけ非常階段として位置づけられている階段の場合には、災害発生等の避難に支障を来すおそれもあった。
【０００５】
従来は、木造階段において、既存の階段をそのまま取り込んでリフォームする方法や階段構造が提案されている（特許文献１、２）。また。鉄骨階段でも、既設の階段構造をそのまま取り込んで、リフォームした階段構造が提案されている（特許文献３）。
【０００６】
これらは、いずれも、既設の階段構造が構造的に十分機能する場合（踏板の腐食がそれほど進んでいない場合）に、既設の踏板をそのまま利用して、踏板をカバーする方法であり、将来、使用不能に陥るおそれのある踏板を安全にリフォームする方法は提案されていない。
【特許文献１】特開２００３−２６２０２３号公報
【特許文献２】特開２００１−３５３５号公報
【特許文献３】実開昭６２−６１８３０号公報
【発明の開示】
【発明が解決しようとする課題】
【０００７】
そこで、この発明は、ささら桁が使用可能で、使用不能に陥るおそれがある既設踏板を切断撤去せずに、踏板をリフォームする方法を実現することを目的とする。
【課題を解決するための手段】
【０００８】
然るにこの発明は、既設踏板を上下カバープレートで挟んで、一体に固定し、上下カバープレートの少なくとも一方をささら桁に固定するので、前記問題点を解決した。
【０００９】
即ちこの発明は、以下の工程で、既設鉄骨階段を改修することを特徴とする鉄骨階段の改修方法である。  
(1) 階段状に並列された既設踏板の両端をささら桁で挟んで、既設の鉄骨階段が設置されている。  
(2) 前記既設踏板の複数箇所に、上下方向の貫通孔を穿設する。  
(3) 前記既設踏板の下面に下カバープレートを配置し、前記既設踏板の上面に防音基材を挟んで、上カバープレートを配置する。上下カバープレートには、前記貫通孔に連通する透孔を穿設してある。  
(4) 前記下カバープレートの透孔、前記既設踏板の透孔、前記上カバープレートの透孔にボルトを挿通して、ナットを螺合して、前記既設踏板、前記上下カバープレート及び前記防音基材を一体に固定する。  
(5) 前記上下カバープレートの少なくとも一方と、前記ささら桁とを当接部で固定する。
【００１０】
また、前記において、上下カバープレートの上段側に、上方に屈曲して上側覆い部を夫々形成し、両上側覆い部の間隙にコーキングを施して密着し、前記上側覆い部で、既設踏板の上側の端縁を覆うことを特徴とする鉄骨階段の改修方法である。
【００１１】
また、他の発明は、以下のような構成としたことを特徴とする鉄骨階段である。  
(1) 既設踏板を既設ささら桁で挟んで固定してなる既設鉄骨階段において、
(2) 前記既設踏板の下面側に下カバープレートを、上面側に、防音基材を介装して、上カバープレートを夫々配置し、
(3) 上カバープレートから下カバープレートを貫く棒材で、前記上下カバープレート、防音基材及び既設踏板を一体に固定し、
(4) 前記上下カバープレートの上段側を水密に封鎖しすると共に、下段側を開放し、
前記上下カバープレートの少なくとも一方を、既設ささら桁に固定した。
【００１２】
前記における踏板の「上段側」とは、踏板を階段状に並べた際に、昇降方向で、昇る側に位置する側（即ち、蹴込み側）を指す。また、踏板の下段側とは、下る側に位置する側（即ち、段鼻側）を指す。
【発明の効果】
【００１３】
既設踏板と上下カバープレートを一体に固定して、上下カバープレートのいずれか一方とささら桁とを溶接するので、既設ささら桁と既設踏板の接合強度、踏板の強度に依拠することなく、上下カバープレートを踏板として歩行できる効果がある。
【００１４】
従って、リフォームする際に、既設踏板を撤去する手間と時間を省き、効率的なリフォームをすることができる。また、既設踏板を撤去しないので、リフォーム工事の際に、作業用足場が不要であり、狭い場所等のどのような場所に設置した既設階段であっても、作業場所の制限を受けず、リフォームすることができる効果がある。
【発明を実施するための最良の形態】
【００１５】
既設の鉄骨階段４０の既設踏板４１を挟んで、上面側に上カバープレート１、下面側に下カバープレート１１を配置し、既設踏板４１と上カバープレート１の間に、防音基材２４及びクッションゴム２８を介装する（図４）。防音基材２４は、歩行時に上カバープレート１が発生する音を減衰させることを目的とし、クッションゴム２８は、この音の減衰作用を助長すると共に、歩行時の歩行感を高めることを目的とする。
【００１６】
このように、上から順に重ねた、上カバープレート１、防音基材２４、クッションゴム２８、既設踏板４１、下カバープレート１１を、夫々予め穿設して透孔９、２６、２９、貫通孔４７、透孔２０を連通させてあり、この透孔９等、貫通孔４７に共通のボルト５２を挿通して、ナット５３を締めて、サンドイッチした、上カバープレート１、防音基材２４、クッションゴム２８、既設踏板４１及び下カバープレート１１を構造的に一体に固定する（図４）。
【００１７】
このように一体に形成して、上カバープレート１を既設の鉄骨階段４０の既設ささら桁５０に溶接して固定する（図４（ａ）、図５の溶接跡３５）。この上カバープレート１と既設のささら桁５０との固定は、既設の踏板４１が無いとしても、十分な取付強度を有し、安全に歩行ができる適度の取付強度を確保する。
【００１８】
上下カバープレート１、１１は、上段側を屈曲して、上側覆い部５、１６を夫々形成してある。両上側覆い部５、１６は、夫々立ち上げ部６、１７に続いて、水平連結部７、１８を形成してあり、両水平連結部７、１８は、対向して高さを違えて間隙３２を形成してある。この間隙３２にコーキング材３４を充填して、上下両カバープレート１、１１の上側を密封する（図４（ａ））。
【００１９】
また、上下カバープレート１、１１の下段側は、夫々屈曲して下垂れ部３、１４を形成してあり、下垂れ部３、１４の先端４、１５を既設踏板４１の下縁４３と同等またはより下方に位置させる。上下カバープレート１、１１の下垂れ部３、１４は、連結せずに下方に向けて開放してある（図４（ａ））。
【００２０】
既設ささら桁５０と上カバープレート１とに隙間がある場合には、水密となるように、コーキング材３４を充填して、踏板３８を構成する。同様に、総ての既設踏板を、同様に、上下カバープレート１、１１で覆い、この発明の鉄骨階段を構成する（図２、図３）。
【００２１】
この鉄骨階段３９は、既設ささら桁５０が十分な性能を有するにもかかわらず、既設踏板４１が錆び等で、近い将来に構造的に危険な状態となるような既設の鉄骨階段４０の補修に最も適しているが、既設ささら桁５０、既設踏板４１のいずれも構造的には十分な強度を有している場合にも適用できる。
【実施例】
【００２２】
図面に基づきこの発明の実施例を説明する。
【００２３】
［１］既設の鉄骨階段４０の構成
【００２４】
既設の鉄骨階段４０は、厚さ４．５ｍｍの縞鋼板（チェッカープレート）からなる既設踏板４１、４１は、踏み面Ｌ０（Ｌ０＝２８０ｍｍ）で形成され、両側をささら桁５０、５０で挟まれ当接点で溶接固着されている。既設踏板４１の上段側は、高さＨ１（Ｈ１＝３０ｍｍ）の上リブ４２が上方に向けて形成され、下段側は、高さＨ２（Ｈ２＝３０ｍｍ）の下リブ４４が下方に向けて形成されている。また、階段巾Ｄ（Ｄ＝９００ｍｍ）で形成されている（図４（ａ）（ｂ））。
【００２５】
踏板４１は、蹴込み板に相当する部材が無く、上下に位置する踏板４１、４１で、下側の踏板４１の上リブ４２と上側の踏板４１の下リブ４４との間に間隙４８が形成される（図３（ａ）、図１（ａ））。
【００２６】
［２］階段を改修する部材の構成
【００２７】
(1) 上カバープレート１
【００２８】
上カバープレート１は、既設踏板４１と同じ幅Ｄの鋼板から形成され、水平基部２の下段側に略鉛直に下垂れ部３を連設し、上段側に上側覆い部５を形成してある。下垂れ部３は、取り付けた状態で、下縁４が既設踏板４１の下リブ４４の下縁４５より下方に位置するように形成されている。また、上側覆い部５は、水平基部２から略垂直に立ち上げ部６を形成し、立ち上げ部６の先端側を水平外方に屈曲して、水平連結部７を形成してある（図４（ｂ））。
【００２９】
また、上カバープレート１の水平基部２に、幅方向で中央部及び両端１ａ、１ａ側（両端１ａから例えば６０ｍｍ）に透孔９、９を穿設し、該透孔９は、水平基部２の上段側、下段側にそれぞれ形成し、合計６箇所に形成してある。
【００３０】
また、上カバープレート１は、例えば、厚さ３．２ｍｍの縞鋼板に溶融亜鉛メッキを施したものを使用する（図示していない）。この際、縞鋼板では、上面側に縞目の凸が形成されているため、透孔９の位置によっては、透孔９にボルトを通した場合、使用するボルトの頭部と凸とが干渉して、締付けが充分にできないこともある。従って、このような場合には、凸を削ってボルトの頭部が当たる部分を平らに加工し、あるいはワッシャーのような部材を溶接する等して、予め透孔の周りの上面を平らに仕上げておく必要がある。
【００３１】
(2) 下カバープレート１１
【００３２】
下カバープレート１１は、既設踏板（上カバープレート）４１の幅Ｄより大きくならないよう形成し、通常は、ささら桁５０に取り付けた際に、ささら桁５０の内側面５１と下カバープレート１１の両端縁１２、１２との間に、５ｍｍ程度の間隙３１、３１が形成されるように形成する（図４（ｂ）、図５）。
【００３３】
下カバープレート１１は、既設踏板４１の下面４６に当接する水平基部１３の下段側に略鉛直に下垂れ部１４を連設し、上段側に上側覆い部１６を形成してある。下垂れ部１４の下縁１５は、既設踏板４１の下リブ４４の下縁４５と同程度に形成する。
【００３４】
下カバープレート１１の上側覆い部１６は、略垂直の立ち上げ部１７の上端に下段側に向けて水平連結部１８を形成する。下カバープレート１１を取り付けた状態で、水平連結部１８の下面１８ｂが、上カバープレート１の水平連結部７の上面７ｂが対向し、約１２ｍｍ程度の間隙３２を形成するような形状大きさに形成する。また、水平連結部１８の先端１９は、取り付けた状態で、平面視で上カバープレート１の立ち上げ部６付近（即ち、水平連結部７の基端）に位置している（図４（ａ）（ｂ））。
【００３５】
また、下カバープレート１１には、取り付けた際に、上カバープレート１の透孔９と連通する透孔２０、２０を６箇所に穿設する（図２）。
【００３６】
また、下カバープレート１１は、例えば、厚さ２．３ｍｍの鋼板で、溶融亜鉛メッキを施して構成する。
【００３７】
(3) 防音基材２４
【００３８】
防音基材２４は、取り付けた際に、平面視で、上カバープレート１の水平基部２内に位置し、かつ既設踏板４１の踏み面内に位置するように、形成され、かつ、階段幅方向で、下カバープレート１１より突出しない大きさで形成される。また、防音基材２４は、通常は、取り付けた際に、階段幅方向で、ささら桁５０の内側面５１との間に２０ｍｍ程度の間隙３３が形成されるように形成する（図４（ｂ）、図５）。
【００３９】
また、防音基材２４は、取り付けた際に、上下カバープレート１、１１の透孔９、２０と連通する透孔２６、２６を６箇所に穿設する。また、防音基材２４は、例えば、厚さ８ｍｍ程度のセメント系パネル（フレキシブルボード）から構成する。
【００４０】
(4) クッションゴム２８
【００４１】
クッションゴム２８は、上下カバープレート１、１１、防音基材２４で、連通する透孔９、２０、２６の位置に対応して配置する部材で、中央に、透孔９、２０、２６と連通できる透孔２９を穿設したゴム系の材料から構成する（図４（ｂ））。
【００４２】
クッションゴム２８は、例えば、厚さ１０ｍｍ、８０ｍｍ×８０ｍｍのネオプレーンゴムから構成する。
【００４３】
［３］補修方法
【００４４】
(1) 既設踏板４１の所定位置（上下カバープレート１、１１等の透孔９、２０、２６の位置に合わせた位置）に、幅方向で中央部及び両端側に貫通孔４７、４７を穿設し、貫通孔４７は透孔９、２０、２６と同位置、即ち、踏面の上段側、下段側にそれぞれ形成し、合計６箇所に形成する（図１（ａ）（ｂ））。貫通孔４７は、上下カバープレート１、１１、防音基材２４等の透孔９、２０、２６等と連通するように形成されている。
【００４５】
(2) 既設踏板４１の腐食した部分、錆が発生した部分等を、電動のカップワイヤー、やすり等を用いて、除去する。その後、既設踏板４１に錆止め塗料を塗布して、新たな錆等が発生しにように処理する（図１（ｃ））。
【００４６】
(3) 既設踏板４１の上面４６ａに、貫通孔４７と透孔２９とが連通するように、クッションゴム２８、２８を合計６箇所に設置する（図１（ｄ））。
【００４７】
(4) 既設踏板４１の上側から、防音基材２４を下ろし、クッションゴム２８の透孔２９（既設踏板４１の貫通孔４７）と透孔２６とが連通するように、防音基材２４をクッションゴム２８上に重ねる（図１（ｅ））。
【００４８】
(5) 防音基材２４の上側から、上カバープレート１を下ろし、防音基材２４の透孔２６と透孔９とが連通するように、防音基材２４に上カバープレート１を重ねる（図１（ｆ））。
【００４９】
(6) 既設踏板４１の下面４６側に下カバープレート１１の水平基部１３を重ね、既設踏板４１の貫通孔４７と透孔２０を連通させる。また、下カバープレート１１の設置と同時に、あるいは下カバープレート１１の設置と前後して、上カバープレート１の上側から、各透孔９、透孔２６、透孔２９、貫通孔４７に連通するように、ボルト（バインドビス）５２の軸部を挿通し、下カバープレート１１の透孔２０も貫通する（図２、図３）。貫通したボルト５２の軸部にナット（袋ナット）５３を螺合締付けして、上下カバープレート１、１１、クッションゴム２８及び防音基材２４で、既設踏板４７を挟み、これらを一体に固定する。ボルト５２は、透孔９等に対応して、合計６本使用する。尚、ボルト５２の頭部（軸部の基端）と上カバープレート１との間に、ゴムパッキン５４を介装する（図１（ｇ））。
【００５０】
ボルト５２、ナット５３の取付け、締付け作業は、既設踏板４１に蹴込み板が無く、上下に位置する既設踏板４１、４１間に間隙４８が形成されるので、作業者が間隙４８から手や各種治具を差し入れることができるので、組立作業が容易にできる。
【００５１】
(7) ささら桁５０と上カバープレート１とを所定位置で溶接固着する（溶接位置は図中３５）。この溶接３５は、上カバープレート１が単独で、ささら桁５０に固定され、歩行に耐えられる程度の強度で固着する（図１（ｈ））。例えば、上カバープレート１の下段側は、水平基部２の段鼻側（下段側）の７０ｍｍ程度、下垂れ部３の全長（５５ｍｍ程度）を溶接する。また、水平基部２の上段側も７０ｍｍ程度の溶接長さを確保することが望ましい（図４（ａ）、図５）。
【００５２】
この溶接作業は、上カバープレート１の上面側からの下を向いて、上カバープレート１上から作業ができ、仮設の足場類が不要である。
【００５３】
(8) 溶接が完了したならば、上カバープレート１の水平連結部７と下カバープレート１１の水平連結部１８の間隙３２、３２に、コーキング材３４を充填して密着する。また、ささら桁５０の内側面５１と上カバープレート１の端縁１ａとの間にもコーキング材３４を充填して密着する（図１（ｉ）、図５）。コーキング材３４の充填は、防音基材２４、クッションゴム２８への浸水を防止するものである。
【００５４】
(9) 以上のようにして、１段分の既設踏板４１（既設鉄骨階段４０）の補修を完了し、新たな踏板３８を形成する（図１（ｉ））。同様に総ての既設踏板４７、４７を補修して、踏板３８、３８を形成し、ささら桁５０、５０と併せてこの発明の鉄骨階段３９を構成する（図２、図３）。
【００５５】
(10)この新たな鉄骨階段３９は、従来の鉄骨階段４０と同様に、上カバープレート上１を歩行する。作業途中のどの段階であっても、既設踏板４１があるので、当面の歩行には支障が無い。とりわけ、特別避難階段に指定された外階段の場合には、緊急時の対処に問題がない。
【００５６】
［４］他の実施例
【００５７】
(1) 前記実施例において、既設踏板４１に、クッションゴム２８、防音基材２４、上カバープレート１を順に重ねたが、予め、クッションゴム２８及び防音基材２４を、上カバープレート１の下面１ｂを一体に接着しておくこともできる（図示していない）。
【００５８】
(2) また、前記実施例において、コーキング材３４を充填したが、防音基材２４やクッションゴム２８が、耐水性を有する材料から構成し、既設踏板４１を十分に防錆処理すれば、コーキング材３４を省略することもできる（図示していない）。
【００５９】
(3) また、前記実施例において、透孔９、２０等、貫通孔４７等は、６箇所に設置してボルト・ナットで固定したが、透孔９、２０等、貫通孔４７の配置や数（即ちボルト５２の数）は任意である（図示していない）。ただし、上下カバープレート１、１１、既設踏板４１などを構造的に一体に接合でき、かつ上カバープレート１に反り等が生ぜずに、安定して歩行できるように固定されなければならない。
【００６０】
(4) また、前記実施例において、クッションゴム２８と防音基材２４とを組み合わせたので、歩行により発生する騒音を防止できると共に、歩行時に適度のクッション性を持たせたので、歩行感が良いが、クッションゴム２８は省略することもできる（図示していない）。
【００６１】
(5) また、前記実施例において、上下カバープレート１、１１の下段側は、開放したので、もし踏板３８内（上下カバープレート１、１１の間）に雨水などが浸入した場合であっても排水経路が確保され、踏板３８内に水分が溜まることを防止できるが、上下カバープレート１、１１の下段側も密着することもできる（図示していない）。例えば、上下カバープレート１、１１の下垂れ部３、１４を屈曲して互いに当接し、あるいは、間隙を設けてコーキング材を充填する（図示していない）。
【００６２】
(6) また、前記実施例において、上カバープレート１とささら桁５０とを溶接したが、下カバープレート１１をささら桁５０に溶接することもできる（図示していない）。但し、この場合には、下カバープレート１１の材厚を厚く形成し、また溶接作業が、階段の下面側からの作業となるので、若干の作業足場を要し、また、上カバープレート１を溶接する場合に較べて作業効率が若干劣る。
【００６３】
(7) また、前記実施例において、上カバープレート１はささら桁５０と溶接して固定したが、溶接に代え、接着剤、あるいは上カバープレート１にフランジを形成し、フランジをささら桁５０の内側面５１に当接して、ささら桁５０とフランジとをボルトナットやリベットで固定することもできる（図示していない）。
【図面の簡単な説明】
【００６４】
【図１】（ａ）〜（ｉ）は、この発明の改修方法を説明する概略した縦断面図である。
【図２】この発明の実施例で作成した鉄骨階段の平面図である。
【図３】（ａ）は図２のＡ−Ａ線における拡大断面図、（ｂ）はＢ−Ｂ線における拡大断面図である。
【図４】（ａ）は図３（ａ）のＣ部拡大図、（ｂ）は組立図である。
【図５】図３（ｂ）のＤ部拡大図である。
【符号の説明】
【００６５】
１    上カバープレート
２    水平基部（上カバープレート）
３    下垂れ部（上カバープレート）
５    上側覆い部（上カバープレート）
６    上側覆い部の立ち上げ部（上カバープレート）
７    上側覆い部の水平連結部（上カバープレート）
９    透孔（上カバープレート）
１１  下カバープレート
１３  水平基部（下カバープレート）
１４  下垂れ部（下カバープレート）
１６  上側覆い部（下カバープレート）
１７  上側覆い部の立ち上げ部（下カバープレート）
１８  上側覆い部の水平連結部（下カバープレート）
２０  透孔（下カバープレート）
２４  防音基材
２６  透孔（防音基材）
２８  クッションゴム
２９  透孔（クッションゴム）
３４  コーキング材
３５  溶接
３８  踏板
３９  鉄骨階段
４０  既設鉄骨階段
４１  既設踏板
４２  上リブ（既設踏板）
４４  下リブ（既設踏板）
４７  貫通孔（既設踏板）
５０  ささら桁
５２  ボルト
５３  ナット
５４  ゴムパッキン
【図１】
2005207147.tif 000003
【図２】
2005207147.tif 000004
【図３】
2005207147.tif 000005
【図４】
2005207147.tif 000006
【図５】
2005207147.tif 000007